(57)【要約】【課題】  市場で多くの容器に採用され、横方向に突設されるノズルを有するポンプ式のノズル付きキャップに脱着可能で、片方の手でノズル付きキャップを押しながら、押した片方の手でノズルからの内容物を受け取ることのできる充填液の吐出具を提供する。【解決手段】  横方向に突設されるノズル６を有するノズル付きキャップ３の押圧ヘッド７に脱着可能に設けた装着部１１を有しているので、多くの容器１に採用されたノズル付きキャップ３に適用でき、汎用性がある。また、ばね性を有する装着部１１の周壁から外方に向けて突設させた挿入口１２に吐出管１３を連通させて、該吐出管１３の吐出口１３ａを、手載置部１４の上方に向けて配置したので、使用者は、片方の手の甲を手載置部１４に載置して下方に押し押圧ヘッド７を下方へスライドさせながら、ノズル６を経由して吐出管１３の吐出口１３ａから吐出される充填液を受け取ることができる。【選択図】        図１
2006219159.tif 000002
【特許請求の範囲】
【請求項１】
容器の口部に取付けられたポンプ式のノズル付きキャップに取り付けて使用するための充填液の吐出具であって、
該吐出具は、一部周壁が開放される筒状に形成されると共に、前記ノズル付きキャップの押圧ヘッドの外周面に横方向から脱着可能な装着部と、該装着部の周壁が一部開放された部位の反対側の周壁から外方に向けて突設され、内部に前記ノズル付きキャップのノズルが挿入される筒状の挿入口と、該挿入口と連通し充填液を吐出する吐出管とを少なくとも有し、前記装着部が前記押圧ヘッドに装着された際、前記吐出管の吐出口が前記押圧ヘッドの上方に位置するように配置されることを特徴とする充填液の吐出具。
【請求項２】
前記挿入口の上面に、使用者の手を位置決めするための位置決め突部を突設させたことを特徴とする請求項１に記載の充填液の吐出具。
【請求項３】
前記装着部を上方から覆うように配置されると共に、前記押圧ヘッドの上面の面積よりも大きな面積を有する板状の手載置部を設け、該手載置部の端部に使用者の手を位置決めするための位置決め突部を突設させたことを特徴とする請求項１に記載の充填液の吐出具。
【請求項４】
前記装着部の一部周壁が開放された部位は、その幅が前記押圧ヘッドの外径よりも狭く設定されると共に、ばね性を有していることを特徴とする請求項１〜３のいずれかに記載の充填液の吐出具。
【発明の詳細な説明】
【技術分野】
【０００１】
本発明は、容器の口部に取付けられたポンプ式のノズル付きキャップに取付けて使用する充填液の吐出具で、充填液を吐出する時、使用者が、片方の手の甲により押圧ヘッドを押して、下方にスライドさせ、押した手の平にノズルからの充填液が吐出されるようにするための充填液の吐出具に関するものである。
【背景技術】
【０００２】
従来より、シャンプ液等の充填液が充填される容器の口部には、ポンプ式のノズル付きキャップが取り付けられている。
一般に、このポンプ式のノズル付きキャップは、押圧ヘッドが下方に押し下げられると、押圧ヘッドの外周面から横方向に突設されるノズルの吐出口から一定量の充填液が吐出される構成になっている。そして、使用者は、一方の手で、押圧ヘッドを押すと同時に、他方の手をノズルの吐出口の下方に差し出し、ノズルから吐出される充填液を受け取るという動作が必要であった。
しかしながら、一方の手が使用できない状態、例えば、乳幼児の髪等を洗う際には、一方の手で乳幼児の頭部を抱えており使用できない状態になっており、他方の手だけでノズル付きキャップの押圧ヘッドを押しながら、ノズルの吐出口から吐出されるシャンプ液を受け取る必要があり、この行為は慣れが必要で容易ではなく、不便を強いられていた。
【０００３】
そこで、このような問題を解決するための従来技術として特許文献１には、容器の口部に嵌合されるポンプ式のノズル付きキャップから延設されるノズルをさらに上方に伸ばし、ノズルの吐出口をノズル付きキャップの上方に配置すると共に、該吐出口を下向きして構成して、使用者は、手の甲でノズル付きキャップを押しながら、押した手の平でノズルの吐出口から吐出される充填液を受け取ることが開示されている。
【特許文献１】特開２００１−３９４４７号公報
【発明の開示】
【発明が解決しようとする課題】
【０００４】
上述した特許文献１の発明では、容器の口部に嵌合されるポンプ式のノズル付きキャップから突設されるノズルを直接上方に伸ばして構成されており、使用者は、片方の手でノズル付きキャップを押しながら、充填液を受け取ることが可能であるが、この構成からなるノズル付きキャップを採用している容器しかその効果を得ることができず、一般に市場で多くの容器に採用されている、横方向に突設されるノズルを有したポンプ式のノズル付きキャップを、この構成に置換させることは到底できない。しかも、この特許文献１の発明では、ノズルが上方に延設されているため、保管時等にスペースを取り不具合を生じる虞がある。
【０００５】
本発明は、かかる点に鑑みてなされたものであり、市場で多くの容器に採用されている、横方向に突設されるノズルを有するポンプ式のノズル付きキャップに脱着可能であり、使用者が片方の手でノズル付きキャップを押しながら、押した片方の手でノズルからの充填液を受け取ることのできる充填液の吐出具を提供することを目的とする。
【課題を解決するための手段】
【０００６】
本発明は、上記課題を解決するための手段として、請求項１に記載した発明は、容器の口部に取付けられたポンプ式のノズル付きキャップに取り付けて使用するための充填液の吐出具であって、該吐出具は、一部周壁が開放される筒状に形成されると共に、前記ノズル付きキャップの押圧ヘッドの外周面に横方向から脱着可能な装着部と、該装着部の周壁が一部開放された部位の反対側の周壁から外方に向けて突設され、内部に前記ノズル付きキャップのノズルが挿入される筒状の挿入口と、該挿入口と連通し充填液を吐出する吐出管とを少なくとも有し、前記装着部が前記押圧ヘッドに装着された際、前記吐出管の吐出口が前記押圧ヘッドの上方に位置するように配置されることを特徴とするものである。
このように構成することにより、装着部を、周壁の一部が開放された部位から、ノズル付きキャップの押圧ヘッドへ横方向に挿入すると共に、挿入口にノズルを挿入しつつ、押圧ヘッドの外周面に容易に装着することができ、使用者は、押圧ヘッドに片方の手の甲を載置し、その状態で押圧ヘッドを押して下方にスライドさせると共に、押した片方の手の平で吐出管の吐出口から吐出される充填液を受け取ることが可能となる。
【０００７】
請求項２に記載した発明は、請求項１に記載した発明において、前記挿入口の上面に、使用者の手を位置決めするための位置決め突部を突設させたことを特徴とするものである。
このように構成することにより、ノズル付きキャップの押圧ヘッドを目視しなくても、手の側面を位置決め突部に沿って配せば、手の甲を容易に押圧ヘッドの上面に導くことが可能となり、さらに、手の甲で押圧ヘッドを押す際、手が左右に振れることなく安定して押すことができる。
【０００８】
請求項３に記載した発明は、請求項１に記載した発明において、前記装着部を上方から覆うように配置されると共に、前記押圧ヘッドの上面の面積よりも大きな面積を有する板状の手載置部を設け、該手載置部の端部に使用者の手を位置決めするための位置決め突部を突設させたことを特徴とするものである。
このように構成することにより、手載置部に載置された手が安定して、手の甲によって容易に手載置部を介して押圧ヘッドを下方に押すことができる。さらに、手載置部に位置決め突部を設けているので、手載置部を目視しなくても、手の側面を位置決め突部に沿って配せば、手の甲を容易に手載置部に導くことが可能となり、さらに、手の甲で手載置部を押す際、手が左右に振れることなく安定して押すことができる。
【０００９】
請求項４に記載した発明は、請求項１〜３に記載した発明において、前記装着部の一部周壁が開放された部位は、その幅が前記押圧ヘッドの外径よりも狭く設定されると共に、ばね性を有していることを特徴とするものである。
このように構成することにより、装着部が押圧ヘッドに装着された後、装着部に横方向の力が付与されない限り、装着部は押圧ヘッドから容易に離脱することはない。
【発明の効果】
【００１０】
本発明の請求項１に記載した発明によれば、装着部は、市場で多くの容器に採用されている、横方向に突設されているノズルを有するポンプ式のノズル付きキャップの押圧ヘッドに脱着可能に構成されているので、汎用性があり、実用性に富む。
しかも、装着部をノズル付きキャップの押圧ヘッドの外周面に横方向からワンタッチで装着できるので、脱着操作が容易であり、装着部を装着した後は、片方の手の甲で押圧ヘッドを押しながら下方にスライドさせて、押した片方の手の平で吐出管の吐出口から吐出される充填液を受け取ることが可能となり、非常に便利である。
【００１１】
請求項２に記載した発明によれば、位置決め突部を挿入口の上面に突設させているので、押圧ヘッドを目視しなくても、手の側面を位置決め突部に沿うように配せば、自然と手の甲が押圧ヘッドの上面に導かれ、押圧ヘッド部を押す動作と吐出口からの充填液を受け取る動作とを確実に行うことができる。
【００１２】
請求項３に記載した発明によれば、手載置部に載置された使用者の手の甲が安定するので、手の甲により手載置部を押し易くなり、押す操作が簡単になる。さらに、位置決め突部を設けているので、手載置部を目視しなくても、手の側面を位置決め突部に沿うように配せば、自然と手の甲が手載置部の上面に導かれ、手載置部を押す動作と吐出口からの充填液を受け取る動作とを確実に行うことができる。
【００１３】
請求項４に記載した発明によれば、装着部が装着された後は、装着部に横方向への力が付与されないと、押圧ヘッドから簡単に離脱できないので、使用中に装着部が容易に押圧ヘッドから離脱することはない。
【発明を実施するための最良の形態】
【００１４】
以下、本発明を実施するための最良の形態を図１〜図７に基いて詳細に説明する。
まず、容器１の口部２に取付けられ、容器１内の充填液を吐出させるポンプ式のノズル付きキャップ３を、図１に基いて説明する。
このポンプ式のノズル付きキャップ３は、合成樹脂製で形成されており、容器１の口部２にねじ手段等で取り付けられるベースキャップ４と、このベースキャップ４の上面の略中央から一体に起立させた中空頚部５と、中空頚部５に沿って上下移動して、横方向に突設したノズル６を有する略円形の押圧ヘッド７とから概略構成されている。なお、図示しないが、押圧ヘッド７は、中空ステムを介してベースキャップ４内に内蔵されたポンプ手段と接続されている。このポンプ手段が稼動し、容器１内の充填液が吸い上げられノズル６の吐出口６ａから吐出される。また、吐出する充填液を気泡化するために、中空ステムには、極細のメッシュが張設されている。
また、ノズル６は、中空ステムと連通する角筒状に形成され、押圧ヘッド７の上部の外周面から外方に向けて横方向に突設されている。
【００１５】
そして、本発明の第１の実施の形態に係る、充填液の吐出方向を変えるための吐出具１０を、図１〜図５に基いて詳細に説明する。
本発明の第１の実施の形態に係る吐出具１０は、合成樹脂製で形成され、前述したポンプ式のノズル付きキャップ３の押圧ヘッド７に脱着可能であり、図１〜図４に示すように、ノズル付きキャップ３の押圧ヘッド７の外周面に横方向から脱着可能な装着部１１と、該装着部１１の周壁から外方に向けて突設され、内部にノズル６が挿入される挿入口１２と、装着部１１を上方から覆うように配置され、使用者の手が載置される手載置部１４と、挿入口１２に連通した吐出口１３ａを手載置部１４の上方において開口し充填液を吐出する吐出管１３と、から構成されている。
【００１６】
装着部１１は、図１、図３及び図５に示すように、欠円の環円筒状（円筒の一部分が切除されている）で、その周壁の一部（図示のものでは、挿入口１２に対向する位置）が、ばね性を付与できる範囲で開放１１ａされており、開放部位１１ａ近傍にはスリット１１ｂが設けられている。この開口幅Ｗは、押圧ヘッド７の直径よりも狭く設定されている。また、装着部１１の内径は、押圧ヘッド７の直径と略同一か、あるいは若干小径に設定されている。さらに、装着部１１の高さは、押圧ヘッド７の高さと略同一にすることが望ましい。
また、この装着部１１には、図２及び図３に示すように、周壁が一部開放されている部位１１ａの反対側の周壁の上端に、挿入口１２が外方に向けて横方向に突設されている。
【００１７】
挿入口１２は、図３に示すように、内部にノズル６が挿入されるように角筒状に形成されている。この挿入口１２には、図１に示すように、側面視形状がＬ字状に形成された導入管部１２ａが一体化されており、その先端は上方に向けて開口１２ｂしている。この先端開口１２ｂに吐出管１３の一端が接続されている。これら挿入口１２及び導入管部１２ａと、吐出管１３とは、別体に構成されているが、導入管部１２ａを省略して挿入口１２とコ字状の吐出管１３とに分割して成形した後、両者を接続しても良い。
【００１８】
吐出管１３は、図１〜図３に示すように、Ｌ字状に形成されている。吐出管１３の他端の吐出口１３ａは、手載置部１４の上方の位置で横方向に向いている。なお、吐出口１３ａを下向きにして、手載置部１４（押圧ヘッド７）の上面の略中央に向けるように配置してもよい。
【００１９】
手載置部１４は、図１〜図３に示すように、平板状に形成され、装着部１１を上方から覆うように配置されている。この手載置部１４の一端側（挿入口１２側）は、その一部が挿入口１２の上壁の一部として構成されると共に、手載置部１４の一端側の下面は、装着部１１の上端面に、その略半円の範囲（図４の黒塗部）で接続されている。また、手載置部１４の他端側（挿入口１２側とは反対側）の下面は、装着部１１との間にスリット１１ｂが設けられているため接続されていない。これにより、装着部１１を、その周壁が開放されている部位１１ａから横方向に押圧ヘッド７に挿入する際、開放されている部位１１ａの両端１１ｃ、１１ｃが、押圧ヘッド７の外周面に沿って弾性的に拡開されるようになっている。
また、手載置部１４の上面視形状は、図４から解るように、略楕円形状に形成されており、その面積は、押圧ヘッド７の上面の面積よりも大きく設定されている。さらに、図１及び図２に示すように、手載置部１４の上面中央は、吐出口１３ａからの吐出方向に直交する線の周りで、凹状に大きな曲率で湾曲し、載置される手の甲の受け座として機能している。
【００２０】
さらに、図１〜図３に示すように、手載置部１４の一端の上面からは、板状の位置決め突部１５が、挿入口１２の短手方向に沿って突設されており、その長さは挿入口１２の短手方向の長さと同一に設定されている。また、この位置決め突部１５の高さは、使用者の手の甲が手載置部１４に載置された状態で、手が左右方向に位置ずれしない程度の適宜の高さに設定されている。その高さは、１〜２ｃｍに設定するのが望ましい。
【００２１】
次に、本発明の第１の実施の形態に係る吐出具１０をノズル付きキャップ３の押圧ヘッド７に取り付けて、容器１内の充填液を吐出させる方法について、図１〜図４に基いて説明する。
まず、既に完成させた吐出具１０の装着部１１を、その周壁が一部開放されている部位１１ａが、押圧ヘッド７のノズル６が突設されている外周面に対向するように配置し、そして、開放された部位１１ａの両端１１ｃ、１１ｃを、押圧ヘッド７の外周面に沿わせるように横方向に移動させて、両端１１ｃ、１１ｃを拡開させながら挿入すると共に、挿入口１２内にノズル６を挿入して、押圧ヘッド７の外周面に装着する。
次に、片方の手の側面を位置決め突部１５に沿わせながら、手の甲を手載置部１４の上面に載置する。
そして、手の甲により手載置部１４を下方に押すと、手載置部１４と共に押圧ヘッド７が下方にスライドすると共にベースキャップ４に内蔵されているポンプ手段が作動して、容器１内の充填液が、ノズル６、挿入口１２及び吐出管１３を経由して吐出口１３ａから、手載置部１４上の片方の手の平に吐出される。
【００２２】
以上説明したように、本発明の第１の実施の形態に係る充填液の吐出具１０によれば、ポンプ式の、横方向に突設されるノズル６を有するノズル付きキャップ３の押圧ヘッド７に脱着自在に装着される構造を有し、しかも開放されている開放部位１１ａがばね性を有する装着部１１を備えているので、装着部１１の径に合えば、多くの容器１に採用されているポンプ式のノズル付きキャップ３に適用でき、汎用性がある。
また、装着部１１の周壁を所定範囲で開放１１ａして、この開放された部位１１ａの反対側の周壁からは、ノズル６が挿入される挿入口１２を突設させているので、装着部１１を押圧ヘッド７に装着する際には、装着部１１の開放された部位１１ａを押圧ヘッド７へ横方向から挿入すると共に、挿入口１２内にノズル６を挿入させることにより、押圧ヘッド７の外周面に装着することができ、装着操作が非常に簡単となる。
さらに、挿入口１２から導入管部１２ａを経て上方を向いた先端開口１２ｂには、吐出管１３が接続されると共に、該吐出管１３の吐出口１３ａは、手載置部１４の上方に位置して配置されているので、使用者は、片方の手の甲を手載置部１４に載置して、下方に押しながら、押圧ヘッド７を下方へスライドさせると共に、ノズル６を経由して吐出管１３の吐出口１３ａから吐出される充填液を、押した片方の手の平で受け取ることができる。
【００２３】
さらに、本発明の第１の実施の形態に係る充填液の吐出具１０によれば、装着部１１の上方に、押圧ヘッド７の上面よりも大きい面積を有する手載置部１４を設け、さらに手載置部１４の一端に位置決め突部１５を立設させたので、手載置部１４に、位置決め突部１５に沿わせながら載置した手の甲を安定させることができ、手の甲が下向きで押圧力を下方に付与しにくい状態であっても、手の甲により手載置部１４を介して押圧ヘッド７を容易に下方に押すことができる。しかも、手載置部１４を目視することができない場合においても、手の側面を位置決め突部１５に沿わせるようにすれば、手の甲を自然に手載置部１４に載置させることができる。
【００２４】
次に、本発明の第２の実施の形態に係る吐出具１０ａを、図６及び図７に基いて説明する。この第２の実施の形態に係る吐出具１０ａは、第１の実施の形態の吐出具１０から手載置部１４を除いた構成であり、ノズル付きキャップ３の押圧ヘッド７の上面を外部に露出させるようにしている。
この第２の実施の形態に係る吐出具１０ａにおいては、図６及び図７に示すように、装着部１１を押圧ヘッド７に横方向から挿入すると共に、挿入口１２にノズル６を挿入して、押圧ヘッド７に装着し、使用者は、片方の手の側面を位置決め突部１５に沿わせて、手の甲を露出している押圧ヘッド７の上面に直接載置して、下方に押してスライドさせることにより、吐出管１３の吐出口１３ａから吐出される一定量の充填液を、押した片方の手の平で受け取ることが可能になっている。
装着部１１は、第１の実施の形態と同様に、押圧ヘッド７の外周面に脱着可能に構成されているため、市場で多くの容器１に採用されている、ノズル付きキャップ３に適用でき、汎用性がある。
【００２５】
なお、本発明の第１及び第２の実施の形態に係る吐出具１０、１０ａにおいて、位置決め突部１５を設けず、吐出管１３を片方の手を載置する際の位置決めとして機能させてもよい。
【図面の簡単な説明】
【００２６】
【図１】図１は、本発明の第１の実施の形態に係る充填液の吐出具が、ノズル付きキャップに装着された断面図である。
【図２】図２は、本発明の第１の実施の形態に係る充填液の吐出具の側面図である。
【図３】図３は、本発明の第１の実施の形態に係る充填液の吐出具の正面図である。
【図４】図４は、本発明の第１の実施の形態に係る充填液の吐出具の上面図である。
【図５】図５は、図２のＡ−Ａ線に沿う断面図である。
【図６】図６は、本発明の第２の実施の形態に係る充填液の吐出具が、ノズル付きキャップに装着された断面図である。
【図７】図７は、本発明の第２の実施の形態に係る充填液の吐出具の側面図である。
【符号の説明】
【００２７】
１              容器
２              口部
３              ノズル付きキャップ
６              ノズル
７              押圧ヘッド
１０、１０ａ    吐出具
１１            装着部
１１ａ          開放された部位
１２            挿入口
１３            吐出管
１３ａ          吐出口
１４            手載置部
１５            位置決め突部
Ｗ              開口幅
【図１】
2006219159.tif 000003
【図２】
2006219159.tif 000004
【図３】
2006219159.tif 000005
【図４】
2006219159.tif 000006
【図５】
2006219159.tif 000007
【図６】
2006219159.tif 000008
【図７】
2006219159.tif 000009